(57)【要約】【課題】施工が容易で高い水密性・気密性を備えた改装窓構造等を提供する。【解決手段】躯体に固定された既設枠により形成される開口内に新設枠が設けられる改装窓構造であって、前記新設枠に取り付けられて前記既設枠との間に位置し前記躯体に固定されるアタッチメントと、前記既設枠と前記アタッチメントまたは前記新設枠とを繋ぐ防水シートと、を備え、前記防水シートは前記既設枠及び前記アタッチメントまたは前記新設枠に各々接着されている。【選択図】図４
2018204339.tif 000002
【特許請求の範囲】
【請求項１】
躯体に固定された既設枠により形成される開口内に新設枠が設けられる改装窓構造であって、
前記新設枠に取り付けられて前記既設枠との間に位置し前記躯体に固定されるアタッチメントと、
前記既設枠と前記アタッチメントまたは前記新設枠とを繋ぐ防水シートと、
を備え、
前記防水シートは前記既設枠及び前記アタッチメントまたは前記新設枠に各々接着されていることを特徴とする改装窓構造。
【請求項２】
請求項１に記載の改装窓構造であって、
前記新設枠と前記アタッチメントとの間にはシール材が介在されていることを特徴とする改装窓構造。
【請求項３】
請求項１または請求項２に記載の改装窓構造であって、
前記アタッチメントは、前記既設枠より室内側に突出して前記躯体と対向する第一突出部と、
前記第一突出部より内周側に設けられ、当該第一突出部と間隔を空けて対向する第二突出部と、
を有し、
前記第一突出部が前記躯体にビス止めされ、前記第二突出部に前記防水シートが接着されていることを特徴とする改装窓構造。
【請求項４】
請求項１乃至請求項３のいずれかに記載の改装窓構造であって、
前記防水シートは、可撓性を有することを特徴とする改装窓構造。
【請求項５】
請求項１乃至請求項４のいずれかに記載の改装窓構造であって、
前記防水シートは、水により膨潤する特性を有することを特徴とする改装窓構造。
【請求項６】
請求項１乃至請求項５のいずれかに記載の改装窓構造であって、
前記防水シートと前記既設枠及び前記新設枠とは、防水性を備えた両面テープにより接着されていることを特徴とする改装窓構造。
【請求項７】
開口を形成する既設枠の室内側の部位に防水シートを接着する第１接着工程と、
新たに設ける新設建具が備え、前記既設枠との間に配置されるアタッチメントが取り付けられた新設枠を、前記防水シートが接着された前記既設枠の内側に吊り込み躯体に固定する新設枠固定工程と、
固定された前記新設枠に取り付けられている前記アタッチメントの室内側の部位、または、前記新設枠の室内側の部位に、前記防水シートの室内側の端部を接着する第２接着工程と、
を有する改装窓の施工方法。
【発明の詳細な説明】
【技術分野】
【０００１】
本発明は、既設枠により形成される開口内に新設枠が設けられる改装窓構造及び改装窓の施工方法に関する。
【背景技術】
【０００２】
改装窓構造としては、例えば、建物開口部に沿って設けられる既設枠体の内側に、枠状に組み合わせて形成されてなるリフォーム用枠体が被せられたリフォーム用開口部装置が備えられることが知られている（特許文献１参照）。このリフォーム用開口部装置は、室外側において、リフォーム用枠体と既設枠体との間に長手方向に沿ってパッキン材が介在されて水密・気密が確保されている。
【先行技術文献】
【特許文献】
【０００３】
【特許文献１】特許５３９４２０５号公報
【発明の概要】
【発明が解決しようとする課題】
【０００４】
上記のような改装窓構造は、リフォーム用枠体と既設枠体との間に長手方向に沿って介在されているパッキン材により水密・気密を確保しているが、リフォーム用枠体と既設枠体とが変形している場合にはパッキン材が密着できない部位において水密・気密を確保できない虞がある。このため、リフォーム用枠体と既設枠体との間に湿式のシーリングを充填して水密・気密を確保する場合もあるが、湿式のシーリング剤を充填する場合には、現場での作業が繁雑であるとともに、養生に多大な時間を費やさなければならないという課題がある。
【０００５】
本発明は、かかる課題に鑑みてなされたものであり、その目的とするところは、施工が容易で高い水密性・気密性を備えた改装窓構造及び改装窓の施工方法を提供することにある。
【課題を解決するための手段】
【０００６】
かかる目的を達成するために本発明の改装窓構造は、躯体に固定された既設枠により形成される開口内に新設枠が設けられる改装窓構造であって、前記新設枠に取り付けられて前記既設枠との間に位置し前記躯体に固定されるアタッチメントと、前記既設枠と前記アタッチメントまたは前記新設枠とを繋ぐ防水シートと、を備え、前記防水シートは前記既設枠及び前記アタッチメントまたは前記新設枠に各々接着されていることを特徴とする改装窓構造である。
【０００７】
このような改装窓構造によれば、改装窓構造を構成する既設枠と新設枠に取り付けられたアタッチメントとの間、または、既設枠と新設枠との間は防水シートにより繋がっているので、既設枠と新設枠に取り付けられているアタッチメントとの間からの水の浸入を防止することが可能である。また、既設枠とアタッチメントまたは新設枠とは防水シートが接着されて繋がっているので、防水シートを接着するだけで容易に水密・気密を確保することが可能である。
【０００８】
かかる改装窓構造であって、前記新設枠と前記アタッチメントとの間にはシール材が介在されていることが望ましい。
このような改装窓構造によれば、新設枠にアタッチメントが取り付けられている部位には、新設枠とアタッチメントと間にシール材が介在されているので、新設枠とアタッチメントとの間からの水の浸入をも防止することが可能である。このため、防水シートを接着するだけで既設枠と新設枠との間を容易に水密・気密を確保することが可能である。
【０００９】
かかる改装窓構造であって、前記アタッチメントは、前記既設枠より室内側に突出して前記躯体と対向する第一突出部と、前記第一突出部より内周側に設けられ、当該第一突出部と間隔を空けて対向する第二突出部と、を有し、前記第一突出部が前記躯体にビス止めされ、前記第二突出部に前記防水シートが接着されていることが望ましい。
【００１０】
このような改装窓構造によれば、第一突出部が前記躯体にビス止めされ、前記第二突出部に前記防水シートが接着されている。すなわち、アタッチメントにおいて躯体にビス止めされる部位と防水シートが接着される部位とは互いに異なる部位である。このため、ビス頭部を覆うように防水シートが接着されることはないので、防水シートに浮きや剥がれが生じにくい。このため、既設枠とアタッチメントとの間からの水の浸入をより確実に防止することが可能であり、シート材を接着するだけで既設枠と新設枠との間の水密・気密を確保することが可能である。
【００１１】
かかる改装窓構造であって、前記防水シートは、可撓性を有することが望ましい。
このような改装窓構造によれば、防水シートを屈曲させて設けることができるので、様々な形状の改装窓構造において既設枠とアタッチメントとの間の水密・気密を確保することが可能である。
【００１２】
かかる改装窓構造であって、前記防水シートは、水により膨潤する特性を有することが望ましい。
このような改装窓構造によれば、例え、防水シートが損傷して水が防水シート内及び防水シートの反対側に浸入する場合であっても、防水シートが膨潤することにより水は防水シートを越えて浸入しにくいので、より高い防水性を備えることが可能である。
【００１３】
かかる改装窓構造であって、前記防水シートと前記既設枠及び前記新設枠とは、防水性を備えた両面テープにより接着されていることが望ましい。
このような改装窓構造によれば、防水シートは防水性を備えた両面テープにより接着されているので、容易に貼り付けることが可能であるとともに、より高い防水性を備えることが可能である。
【００１４】
また、開口を形成する既設枠の室内側の部位に防水シートを接着する第１接着工程と、新たに設ける新設建具が備え、前記既設枠との間に配置されるアタッチメントが取り付けられた新設枠を、前記防水シートが接着された前記既設枠の内側に吊り込み躯体に固定する新設枠固定工程と、固定された前記新設枠に取り付けられている前記アタッチメントの室内側の部位、または、前記新設枠の室内側の部位に、前記防水シートの室内側の端部を接着する第２接着工程と、を有する改装窓の施工方法である。
【００１５】
このような改装窓の施工方法によれば、既設枠と新設枠に取り付けられたアタッチメントまたは新設枠とをシート状をなす防水シートを接着することにより繋ぐので、シート状の部材でなる防水シートを接着するだけで容易に水密・気密を確保することが可能である。また、湿式のシーリング材を用いないので、養生の必要がなく現場での施工時間及びシーリング費用を削減することが可能である。
【発明の効果】
【００１６】
本発明によれば、施工が容易で高い水密性・気密性を備えた改装窓構造及び改装窓の施工方法を提供することが可能である。
【図面の簡単な説明】
【００１７】
【図１】本実施形態に係る改装窓構造を示す縦断面図である。
【図２】本実施形態に係る改装窓構造を示す横断面図である。
【図３】図１におけるＡ部の拡大図である。
【図４】図１におけるＢ部の拡大図である。
【図５】図２におけるＣ部の拡大図である。
【図６】改装窓の施工方法を示す図である。
【図７】新設枠の角部を示す斜視図である。
【図８】図８（ａ）は、防水シートの室内側の端部を上板突出部の延出部に接着した例を示す図であり、図８（ｂ）は、防水シートの室内側の端部を上板突出部の垂設部に接着した例を示す図である。
【図９】防水シートを防水テープにより取り付ける例を示す横断面図である。
【図１０】防水シートを外周面部に接着した例を示す図である。
【発明を実施するための形態】
【００１８】
以下、本発明の一実施形態に係る改装窓構造について図面を参照して説明する。
本実施形態の改装窓構造は、図１、図２に示すように建物等に設けられていた既設建具から障子を外した枠体（以下、既設枠という）２にて形成される開口２ａ内に、新たに辷り出し窓用の建具（以下、新設建具という）１が設けられている。尚、図面においては、後述する防水シートと既設枠及び新設枠との繋がりを明確に示すために、便宜上、防水シートの接着面以外は周囲の部材と離して図示している。
【００１９】
以下の説明においては、建物等に取り付けられた状態の既設枠２及び新設建具１を室内側から見たときに、上下となる方向を上下方向、左右となる方向を左右方向、室内外方向である奥行き方向を見込み方向として示す。改装窓構造の各部位であっても、また、改装窓構造を構成する各部材については単体の状態であっても、建物等に取り付けられた状態にて上下方向、左右方向、奥行き方向となる方向にて方向を特定して説明する。また、既設枠２及び新設建具１が備える新設枠３はいずれも矩形状に枠組みされているので、矩形の内側を内周側、外側を外周側として説明する。
【００２０】
既設枠２は、押出成形材でなる既設上枠２１と、既設下枠２２及び左右の既設縦枠２３とが枠組みされて矩形状をなしている。既設上枠２１と、既設下枠２２及び左右の既設縦枠２３は、長手方向に沿って各々全長に亘って設けられ、外周側に突出して躯体４に固定されるヒレ状の既設固定部２１ａ、２２ａ、２３ａを有している。既設上枠２１と、既設下枠２２及び左右の既設縦枠２３の室外側の端部は各々、躯体４の室外側に設けられている外壁材５よりも室外側に突出しており、外壁材５との間にシーリング材５ａが充填されている。既設上枠２１と、既設下枠２２及び左右の既設縦枠２３の室内側の端部は、室内側に全周にわたって設けられている既設額縁２４の室外側の端面２４ａと対向する額縁対向部２１ｂ、２２ｂ、２３ｂと、額縁対向部２１ｂ、２２ｂ、２３ｂの内周側の端部から室内側に延出され既設額縁２４の室外側の端部を内周側から覆う既設枠延出部２１ｃ、２２ｃ、２３ｃとを有している。
【００２１】
新設建具１は、既設枠２の内周側に取り付けられる新設枠３と、新設枠３に回動自在に設けられる障子６とを有している。
新設枠３は、押出成形材でなる新設上枠３１と、新設下枠３２及び左右の新設縦枠３３とが枠組みされて矩形状をなしている。新設枠３を形成する新設上枠３１、新設下枠３２及び左右の新設縦枠３３は、いずれも同一の押し出し成形部材が互いの端部を突き合わせて接合されている。新設上枠３１、新設下枠３２及び左右の新設縦枠３３は、見込み方向に沿い外周面を形成する外周面部３１ａ、３２ａ、３３ａと、外周面部３１ａ、３２ａ、３３ａの室内側の縁から内周側に延出されて室内に臨む面を形成する内壁部３１ｂ、３２ｂ、３３ｂと、外周面部３１ａ、３２ａ、３３ａの室外側の縁から内周側に延出されて室外に臨む面を形成する外壁部３１ｃ、３２ｃ、３３ｃと、を有している。
【００２２】
新設下枠３２及び左右の新設縦枠３３には、内壁部３２ｂ、３３ｂの外周側縁より僅かに内周側に位置し、長手方向に沿うとともに全長に亘って室内側に突出され、躯体４にビス止めされるヒレ状の突出片３２ｄ、３３ｄを有している。新設上枠３１は、外周面部３１ａの外周側に配置されて取り付けられているアタッチメント３５を介して躯体４にビス止めされている。アタッチメント３５については後述する。
【００２３】
既設上枠２１の室内側の部位と新設上枠３１に取り付けられたアタッチメント３５の室内側の部位との間は、可撓性を有する１枚の防水シート７により繋がっており、既設下枠２２及び左右の既設縦枠２３の室内側の部位と新設下枠３２及び左右の新設縦枠３３の室内側の部位との間は、可撓性を有する１枚の防水シート７により繋がっている。すなわち、既設枠２及び新設枠３の室内側は、既設枠２側と新設枠３側とが１枚の防水シート７により全周にわたって繋がっている。ここで、防水シート７としては、貫通孔等から浸入しようとする水を高分子吸収体が水を吸って膨潤し、貫通孔をふさぐ機能を備えている、例えば、スリーエムジャパン株式会社製  止水機能付外壁防水シート２４０７が望ましい。
【００２４】
新設下枠３２は、図３に示すように、既設額縁２４上に室内側の部位が載置され、既設額縁２４より室外側の既設下枠２２の上方に張り出して配置され、新設下枠３２の突出片３２ｄが既設額縁２４及び既設額縁２４の下に位置する躯体４にビス止めされている。このとき、新設下枠３２の外周面部３２ａの下には、既設額縁２４の室外側の端との間に既設下枠２２の既設枠延出部２２ｃが位置している。また、既設下枠２２の室内側の部位と新設下枠３２の室内側の部位との間は、既設枠２と新設枠３との間に全周にわたって設けられる防水シート７により全長に亘って繋がっている。
【００２５】
より具体的には、防水シート７は、室外側の端部が既設下枠２２の額縁対向部２２ｂと既設枠延出部２２ｃとに防水性を有する両面テープ７ａにより接着されており、既設額縁２４と新設下枠３２の外周面部３２ａとの間から室内側に至るように設けられている。また、室内側の端部は、新設下枠３２の突出片３２ｄの外周側から内周側に回り込まされて突出片３２ｄの内周面に防水性を有する両面テープ７ａにより接着されている。このとき、新設下枠３２を固定しているビス８は、既設額縁２４と外周面部３２ａとの間では防水シート７を貫通しているが、突出片３２ｄには締め込まれたビス頭部８ａとともに防水シート７が内周側から接着されている。
【００２６】
既設下枠２２と新設下枠３２の室外側には、図１に示すように、既設下枠２２と新設下枠３２との間を覆う下カバー材３４が新設下枠３２の外壁部３２ｅにビス止めされている。
【００２７】
新設上枠３１の外周側に取り付けられているアタッチメント３５は、室内側に位置する室内部材３５１と室外側に位置する室外部材３５２とが連結部材３５３により連結されている。室内部材３５１と室外部材３５２とはアルミニウム製の押出成形部材であり、室内部材３５１と室外部材３５２との間に合成樹脂製の連結部材３５３が介在されて一体に成形されている。
【００２８】
室内部材３５１は、新設上枠３１の外周面部３１ａの室内側の部位と間隔を空けて対向する上面板部３５１ａと、上面板部３５１ａから外周面部３１ａ側に突出して先端が上面板部３５１ａに当接される２つの脚部３５１ｂ、３５１ｃと、２つの脚部３５１ｂ、３５１ｃのうちの室内側の脚部（室内脚部）３５１ｃの下端から室内側に突出された第二突出部としての室内突出部３５１ｄと、室内脚部３５１ｃより僅かに室内側に設けられ室内突出部３５１ｄから垂設された室内垂設片３５１ｅと、室内垂設片３５１ｅの下端にて室外側に突出する突起３５１ｆと、を有している。
【００２９】
２つの脚部３５１ｂ、３５１ｃのうちの室外側の脚部（室外脚部）３５１ｂは、上面板部３５１ａの室外側の縁に位置している。また、上面板部３５１ａは、室内脚部３５１ｃより室内側に突出する第一突出部としての上板突出部３５１ｇを有している。上板突出部３５１ｇと室内突出部３５１ｄとは、上下方向に間隔を空けて対向し、ほぼ平行に設けられ、上板突出部３５１ｇの方が室内突出部３５１ｄより大きく室内側に突出している。
【００３０】
室外部材３５２は、室外脚部３５１ｂと見込み方向に間隔を空けて配置され上端部が連結部材３５３により室内部材３５１と連結されている連結脚部３５２ａと、連結脚部３５２ａの上縁から延出され室外側に向かって上面板部３５ａとの間隔が狭まるように傾斜する傾斜板部３５２ｂと、傾斜板部３５２ｂの室外側に延出され外周面部３１ａの室外側の部位と対向してビス止めされる室外側固定部３５２ｃと、室外側固定部３５２ｃの室外側の縁から立設された室外立設部３５２ｄと、を有している。
【００３１】
アタッチメント３５は、室外脚部３５１ｂ、室内脚部３５１ｃ及び連結脚部３５２ａの下端が新設上枠３１の外周面部３１ａに当接され、室内垂設片３５１ｅの突起３５１ｆが内壁部３１ｂの室内側に当接された状態で室内垂設片３５１ｅが内壁部３１ｂに、また、室外側固定部３５２ｃが外周面部３１ａにそれぞれビス止めされて新設上枠３１に固定される。このとき、室外側固定部３５２ｃを外周面部３１ａに固定するビスには、ねじ部に合成樹脂が塗布されて螺合することによりビス孔を止水する止水性を有するビスが用いられている。また、室内垂設片３５１ｅと内壁部３１ｂとの固定部は、突起３５１ｆが内壁部３１ｂの室内側に当接されて、室内垂設片３５１ｅと内壁部３１ｂとの間に形成される空隙にシール材９が介在された状態でビス止めされている。
【００３２】
アタッチメント３５が新設上枠３１に取り付けられた状態では、室内脚部３５１ｃと内壁部３１ｂとが見込み方向においてほぼ同じ位置に配置されており、上板突出部３５１ｇと室内突出部３５１ｄとは、内壁部３１ｂよりも室内側に突出している。
【００３３】
アタッチメント３５が取り付けられた新設上枠３１は、図４に示すように、既設額縁２４の下に室内側の部位が配置され、既設額縁２４より室外側の既設上枠２１の下方に張り出して配置される。アタッチメント３５は、上板突出部３５１ｇが、既設額縁２４及び既設額縁２４の上に位置する躯体４にビス８により固定されている。このとき、新設上枠３１の外周面部３１ａの上に位置するアタッチメント３５の上には、既設額縁２４の室外側の端との間に既設上枠２１の既設枠延出部２１ｃが位置している。また、既設上枠２１の室内側の部位とアタッチメント３５の室内側の部位との間は、既設枠２とアタッチメント３５との間に設けられる防水シート７により全長に亘って繋がっている。
【００３４】
より具体的には、防水シート７は、室外側の端部が既設上枠２１の額縁対向部２１ｂと既設枠延出部２１ｃとに防水性を有する両面テープ７ａにより接着されており、既設額縁２４とアタッチメント３５の上面板部３５１ａとの間から室内側に至るように設けられている。また、室内側の端部は、アタッチメント３５の上板突出部３５１ｇの外周側から室内側を経由して内周側に回り込まされ室内突出部３５１ｄの内周面に防水性を有する両面テープ７ａにより接着されている。このとき、新設上枠３１を固定しているビス８は、既設額縁２４と上面板部３５１ａとの間では防水シート７を貫通しているが、ビスが貫通している上板突出部３５１ｇより内周側に位置するには室内突出部３５１ｄに接着された防水シート７により上板突出部３５１ｇの内周側及び室内側が覆われている。
【００３５】
既設上枠２１と新設上枠３１の室外側には、図１に示すように、既設上枠２１と新設上枠３１との間を覆う上カバー材３６がアタッチメント３５の室外立設部３５２ｄにビス止めされており、上カバー材３６と既設上枠２１及び新設上枠３１との間は、シール材９が介在されている。
【００３６】
左右の新設縦枠３３は、図２に示すように、左右が反転した対称の形状をなしている。このため、ここでは左の新設縦枠３３を例に挙げて説明する。
新設縦枠３３は、図５に示すように、既設額縁２４の内周側に、室内側の部位が飼い木３７を介して配置され、既設額縁２４より室外側の既設縦枠２３の側方に張り出して配置され、新設縦枠３３の突出片３３ｄが既設額縁２４及び既設額縁２４の外周側に位置する躯体４にビス止めされている。このとき、新設縦枠３３の外周面部３３ａと、外周面部３３ａの左に位置する既設額縁２４の室外側の端との間に既設縦枠２３の既設枠延出部２３ｃが位置している。また、既設縦枠２３の室内側の部位と新設縦枠３３の室内側の部位との間は、既設枠２と新設枠３との間に全周にわたって設けられる防水シート７により全長に亘って繋がっている。
【００３７】
より具体的には、防水シート７は、室外側の端部が既設縦枠２３の額縁対向部２３ｂと既設枠延出部２３ｃとに防水性を有する両面テープ７ａにより接着されており、既設額縁２４と飼い木３７との間から室内側に至るように設けられている。また、室内側の端部は、新設縦枠３３の突出片３３ｄの外周側から内周側に回り込まされて突出片３３ｄの内周面に防水性を有する両面テープ７ａにより接着されている。このとき、新設縦枠３３を固定しているビス８は、既設額縁２４と飼い木３７との間では防水シート７を貫通しているが、突出片３３ｄには締め込まれたビス頭部８ａとともに防水シート７が内周側から接着されている。
【００３８】
既設縦枠２３と新設縦枠３３の室外側には、図２に示すように、既設縦枠２３と新設縦枠３３との間を覆う縦カバー材３８が設けられており、縦カバー材３８は、当該縦カバー材３８の室内側の部位にビス止めされた連結部材３９を介して新設縦枠３３の外周面部３３ａにビス止めされている。また、縦カバー材３８と既設縦枠２３及び新設縦枠３３との間は、シール材９が介在されている。
【００３９】
本実施形態の改装窓の施工方法は、例えば、まず、図６に示すように、既設建具の障子(不図示)を取り外した状態の既設枠２に、防水シート７を貼り付ける（第１接着工程：Ｓ１）。このとき、例えば、既設上枠２１の左右方向の端部を避けた位置から、既設上枠２１の額縁対向部２１ｂと既設枠延出部２１ｃとに防水性を有する両面テープ７ａにより室外側の端部を接着し、防水シート７の室内側は既設額縁２４側に延出しておく。防水シート７には、既設枠２及び新設枠３に接着するための両面テープ７ａを予め接着しておく。
【００４０】
防水シート７は、左側の既設縦枠２３、既設下枠２２、右側の既設縦枠２３、既設上枠２１の順で各々額縁対向部２１ｂ、２２ｂ、２３ｂと既設枠延出部２１ｃ、２２ｃ、２３ｃに防水性を有する両面テープ７ａにて室外側の端部を接着する。既設枠２の内周に全周にわたって接着される防水シート７は、防水シート７の、貼り付け時における始端と終端でなる両端部が重なるように接着する。
【００４１】
次に、下カバー材３４、上カバー材３６、縦カバー材３８、アタッチメント３５及び連結部材３９が取り付けられた新設枠３を、室外側から防水シート７が接着され、飼い木３７が配置された既設枠２の内側に吊り込んで配置する。このとき、上カバー材３６、縦カバー材３８及びアタッチメント３５には、既設枠２及び新設枠３との間に介在されるシール材９が取り付けられている。既設枠２の内側に配置した新設枠３を、新設下枠３２及び左右の新設縦枠３３の各突出片３２ｄ、３３ｄと新設上枠３１に取り付けられたアタッチメント３５の上板突出部３５１ｇとをビス８により躯体４に固定して取り付ける（新設枠固定工程：Ｓ２）。
【００４２】
新設下枠３２、左右の新設縦枠３３の各突出片３２ｄ、３３ｄ及びアタッチメント３５の上板突出部３５１ｇをビス止めした後に、防水シート７の、新設枠３より室内側に位置している部位を各突出片３２ｄ、３３ｄの内周側に、また、上板突出部３５１ｇの室内側を通して内周側に位置する室内突出部３５１ｄの内周側に回り込ませ、突出片３２ｄ、３３ｄ及び室内突出部３５１ｄに防水性を有する両面テープ７ａにより接着する（第２接着工程：Ｓ３）。このとき、既設枠２および新設枠３の角部においては、防水シート７の室内側の部位に見込み方向に切り込みを入れて、新設縦枠３３側の部位と、新設下枠３２及びアタッチメント３５側の部位とを重ねて新設枠３の表面に沿わせて貼り付ける。防水シート７の切り込み部７ｂには、図７に示すように、内周側から防水性を有する防水テープ１０を貼り付けて目張りをしておく。
【００４３】
本実施形態の改装窓構造によれば、改装窓構造を構成する既設枠２の既設下枠２２と新設下枠３２との間及び既設縦枠２３と新設縦枠３３との間は防水シート７により繋がり、既設上枠２１と新設上枠３１との間においては、新設上枠３１に取り付けられたアタッチメント３５と既設上枠２１との間が防水シート７により繋がっている。また、アタッチメント３５の室内垂設片３５１ｅと新設上枠３１の内壁部３１ｂとの間に形成される空隙にはシール材９が介在されて、アタッチメント３５と新設上枠３１との間が止水されている。このため、既設枠２と新設枠３との間からの水の浸入を防止することが可能である。
【００４４】
また、既設枠２と新設枠３及びアタッチメント３５とは防水シート７が接着されて繋がっているので、躯体４に取り付けられている既設枠２と新たに取り付ける新設枠３との間を、防水シート７を接着するだけで容易に水密・気密を確保することが可能である。このとき、新設上枠３１に予めアタッチメント３５を取り付ける際に、室内垂設片３５１ｅと内壁部３１ｂとの間にシール材９を介在させるので、新設上枠３１とアタッチメント３５との間を容易にかつ確実に止水することが可能である。このため、施工が容易で高い水密性・気密性を備えた改装窓構造を提供することが可能である。
【００４５】
本実施形態の改装窓構造は、上板突出部３５１ｇが躯体４にビス止めされ、室内突出部３５１ｄに防水シート７が接着されている。すなわち、アタッチメント３５において躯体４にビス止めされる部位と防水シート７が接着される部位とは互いに異なる部位である。このため、躯体４にビス止めしているビス８のビス頭部８ａを覆うように防水シート７が接着されることはないので、防水シート７に浮きや剥がれが生じにくい。このため、既設上枠２１とアタッチメント３５との間からの水の浸入をより確実に防止することが可能である。
【００４６】
また、防水シート７は可撓性を有するので屈曲させて設けることができる。このため、例えば変形している既設枠であっても容易に取り付けて水密性を確保することが対応することが可能であるとともに、様々な形状の改装窓構造において既設枠２と新設枠３との間の水密・気密を確保することが可能である。このため、汎用性が高い改装窓構造を実現することが可能である。
【００４７】
また、防水シート７は、水により膨潤する特性を有しているので、例え、防水シート７が損傷して水が防水シート７内及び防水シート７の反対側に浸入する場合であっても、防水シート７が膨潤することにより水は防水シート７を越えて浸入しにくいので、より高い防水性を備えることが可能である。
【００４８】
また、防水シート７は防水性を備えた両面テープ７ａにより接着されているので、容易に貼り付けることが可能であるとともに、より高い防水性を備えることが可能である。
【００４９】
また、新設枠３の角部において、新設縦枠３３側にて突出片３３ｄに回り込ませた部位と、新設上枠３１及び新設下枠３２側から回り込ませた部位との境界部が防水テープ１０により接合されているので、防水シート７の繋ぎ目においても防水性を備えることが可能である。
【００５０】
また、既設枠２と新設枠３との室外側の境界部分にはシール材９が設けられているので、室内側に設けられた防水シート７のみならず室外側もシールされているので、より高い防水性を備えることが可能である。
【００５１】
また、本実施形態の改装窓の施工方法によれば、既設枠２と新設枠３及びアタッチメント３５とはシート状をなす防水シート７が接着されて繋がっているので、シート状の部材でなる防水シート７を接着するだけで容易に水密・気密を確保することが可能である。
【００５２】
また、新たに取り付ける新設枠３を躯体４に取り付けられている既設枠２により形成される開口２ａ内に配置した状態では、湿式のシーリング材を用いないので、養生の必要がなく現場での施工時間及びシーリング費用を削減することが可能である。このため、施工が容易で高い水密性・気密性を備えた改装窓の施工方法を提供することが可能である。
【００５３】
上記実施形態においては、防水シート７の室内側の端部を突出片３２ｄ、３３ｄに接着した例について説明したが、新設枠３が突出片３２ｄ、３３ｄを有していない場合には、室内に臨む面を形成する内壁部３２ｂ、３３ｂに接着しても構わない。また、上記実施形態においては、防水シート７の室内側の端部を上板突出部３５１ｇの外周側から内周側に回り込ませて室内突出部３５１ｄの内周面に接着した例について説明したが、アタッチメント３５が室内突出部３５１ｄを有していない場合には、室内垂設片３５１ｅに接着する、或いは、図８（ａ）に示すように、上板突出部３５１ｇのビス８貫通部より室内側に延出されたアタッチメント延出部３５１ｈ、または、図８（ｂ）に示すように、上板突出部３５１ｇの室内側の縁から垂設された垂設部３５１ｉに接着しても構わない。
【００５４】
また、上記実施形態においては、防水シート７の室内側の端部は、新設縦枠３３の突出片３３ｄの外周側から内周側に回り込まされて突出片３３ｄの内周面に防水性を有する両面テープ７ａにより接着されている。
【００５５】
また、上記実施形態においては、防水シート７を両面テープ７ａにより既設枠２及び新設枠３及びアタッチメント３５に接着する例について説明したが、これに限らず、例えば、図９に示すように、内周側から防水シート７と既設枠２または新設枠３及びアタッチメント３５とにわたって端部を塞ぐように防水テープ１０により接着しても構わない。また、両面テープ７ａ及び防水テープ１０は、予め防水シート７に設けられていても、また、防水シート７を接着する際に、既設枠２、新設枠３及びアタッチメント３５にそれぞれ設ける、或いは、既設枠２または新設枠３及びアタッチメント３５と防水シート７とにわたるようにそれぞれ設けても構わない。
【００５６】
また、上記実施形態においては、既設上枠２１及び新設上枠３１側において、防水テープ７の室内側の端部をアタッチメント３５に接着した例について説明したが、これに限るものではない。例えば、図１０に示すように、新設上枠３１の外周面部３１ａを室内側に延出させて、外周面部３１ａの室内側の部位の内周面側に防水テープ７の室内側の端部を接着しても構わない。
【００５７】
また、上記実施形態においては、新設枠３及びアタッチメント３５の室内側の部位と既設枠２の室内側の部位との間が、１枚の防水シート７により全周にわたって繋がっている例について説明したが、これに限るものではない。たとえば、新設枠及びアタッチメントと既設枠との間の一部に、パッキン材等が介在されており、他の部位に接着されている防水シートとともに、全周にわたって水密・気密が確保されている構成であっても構わない。
【００５８】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００５９】
２  既設枠、２ａ  開口、３  新設枠、４  躯体、７  防水シート、
７ａ  両面テープ、９  シール材、２１  既設上枠、３１  新設上枠、
３１ａ  外周面部、３５  アタッチメント、３５１ｄ  室内突出部、
３５１ｇ  上板突出部、３５１ｈ  延出部、３５１ｉ  垂設部、
【図１】
2018204339.tif 000003
【図２】
2018204339.tif 000004
【図３】
2018204339.tif 000005
【図４】
2018204339.tif 000006
【図５】
2018204339.tif 000007
【図６】
2018204339.tif 000008
【図７】
2018204339.tif 000009
【図８】
2018204339.tif 000010
【図９】
2018204339.tif 000011
【図１０】
2018204339.tif 000012